(57)【要約】【課題】画面に表示される画像に対する印刷等の処理を手軽に行う。【解決手段】スキャナー部１０１により、原稿読取部１０１Ｃにセットされた印刷済みの用紙２００、又はタブレット型端末３００の画像を読み取り、光検出センサー１０５により、印刷済みの用紙２００、又はタブレット型端末３００側から光が放出されているどうかを検出し、システム制御部１２１により、光検出センサー１０５の検出結果に基づき、スキャナー部１０１に対し、光源をＯＦＦにしてのタブレット型端末３００の画像（第１の画像）の読み取り、及びジョブの設定の内容を示すＱＲコード（登録商標）、又はバーコード（第２の画像）の読み取り、又は光源をＯＮにしての印刷済みの用紙２００の画像の読み取りを指示する。【選択図】図２
2019149685.tif 000002
【特許請求の範囲】
【請求項１】
読取対象をセットする原稿読取部と、
光源を有し、前記読取対象の第１の画像とジョブの設定の内容を示す第２の画像とを読み取るスキャナー部と、
前記読取対象側から光が放出されているどうかを検出する光検出センサーと、
前記光検出センサーの検出結果に基づき、前記スキャナー部に対し、前記光源をＯＦＦにしての前記読取対象の第１の画像、及び第２の画像の読み取り、又は前記光源をＯＮにしての前記読取対象の第３の画像の読み取りを指示するシステム制御部とを備え、
前記システム制御部は、前記スキャナー部が読み取った前記第１の画像に対し、前記スキャナー部が読み取った前記第２の画像の内容が示すジョブの設定に基づき処理を実行する
ことを特徴とする画像形成装置。
【請求項２】
前記システム制御部は、
前記光検出センサーが前記読取対象側から光が放出されていることを検出すると、前記スキャナー部に対し、前記光源をＯＦＦにしての前記読取対象の第１の画像、及び第２の画像の読み取りを指示し、
前記光検出センサーが前記読取対象側から光が放出されていないことを検出すると、前記スキャナー部に対し、前記光源をＯＮにしての前記読取対象の第３の画像の読み取りを指示する
ことを特徴とする請求項１に記載の画像形成装置。
【請求項３】
画像形成装置を制御するコンピューターに実行させる画像読取プログラムであって、
光源を有するスキャナー部により、原稿読取部にセットされた読取対象の画像を読み取る工程と、
光検出センサーにより、前記読取対象側から光が放出されているどうかを検出する工程と、
システム制御部により、前記光検出センサーの検出結果に基づき、前記スキャナー部に対し、前記光源をＯＦＦにしての前記読取対象の第１の画像、及び第２の画像の読み取り、又は前記光源をＯＮにしての前記読取対象の第３の画像の読み取りを指示する工程とを具備し、
さらに、前記システム制御部は、前記スキャナー部が読み取った前記第１の画像に対し、前記スキャナー部が読み取った前記第２の画像の内容が示すジョブの設定に基づき処理を実行する工程を有する
ことを特徴とする画像読取プログラム。
【発明の詳細な説明】
【技術分野】
【０００１】
本発明は、画像の読み取りに適した画像形成装置及び画像読取プログラムに関する。
【背景技術】
【０００２】
たとえば、スマートフォンやタブレット型端末等のモバイル端末の画面に表示されている画像は、ＭＦＰ(Multifunction Peripheral)等の画像形成装置に対し、無線通信等によって送信することで印刷できる。
【０００３】
このようなモバイル端末の画面に表示されている画像の印刷に関するものとして、特許文献１では、次のような構成の携帯電話のデータ印刷システムを提案している。この携帯電話のデータ印刷システムは、携帯電話の送信手段により、印刷手段へデータ送信を行うと、印刷手段の受信手段がデータを受信し、印刷を実行する。
【先行技術文献】
【特許文献】
【０００４】
【特許文献１】特開２００３−２４１９１１号公報
【発明の概要】
【発明が解決しようとする課題】
【０００５】
上述した特許文献１の携帯電話のデータ印刷システムでは、印刷手段が携帯電話から受信したデータを印刷するので、たとえば印刷機能を持たない携帯電話であっても、受信した電子メールや画像等のデータを印刷できる。
【０００６】
ところで、携帯電話等のモバイル端末から画像形成装置に対し、電子メールや画像等のデータを送信するまでに様々な操作が必要となる。すなわち、モバイル端末側で、データ変換アプリケーション等を起動させ、電子メールや画像等のデータをJPEG等の汎用ファイルに変換する必要がある。また、モバイル端末側で、変換したファイルを無線通信やＬＡＮ(Local Area Network)等のネットワークで画像形成装置に送信するという操作が必要となる。この場合、モバイル端末側においては、画像形成装置と通信するためのネットワーク設定や、モバイル端末と画像形成装置とを連携させるためのネットワーク設定等も必要となる。さらには、画像形成装置に送信した汎用ファイルのジョブの設定をモバイル端末側、又は画像形成装置側で行う必要がある。
【０００７】
このような、電子メールや画像等のデータをJPEG等の汎用ファイルに変換する操作、ネットワーク設定の操作、ジョブの設定の操作においては、モバイル端末の操作に慣れたユーザーにとっては何ら問題はない。ところが、モバイル端末の操作に不慣れなユーザーにとっては、これらの操作が煩雑であったり、困難であったりすることが容易に予測される。
【０００８】
このようなことから、モバイル端末の操作に不慣れなユーザーであっても、モバイル端末の画面に表示される画像に対する印刷等の処理を手軽に行える装置の開発が望まれている。
【０００９】
本発明は、このような状況に鑑みてなされたものであり、上記問題点を解消することができる画像形成装置及び画像読取プログラムを提供することを目的とする。
【課題を解決するための手段】
【００１０】
本発明の画像形成装置は、読取対象をセットする原稿読取部と、光源を有し、前記読取対象の第１の画像とジョブの設定の内容を示す第２の画像とを読み取るスキャナー部と、前記読取対象側から光が放出されているどうかを検出する光検出センサーと、前記光検出センサーの検出結果に基づき、前記スキャナー部に対し、前記光源をＯＦＦにしての前記読取対象の第１の画像、及び第２の画像の読み取り、又は前記光源をＯＮにしての前記読取対象の第３の画像の読み取りを指示するシステム制御部とを備え、前記システム制御部は、前記スキャナー部が読み取った前記第１の画像に対し、前記スキャナー部が読み取った前記第２の画像の内容が示すジョブの設定に基づき処理を実行することを特徴とする。
また、前記システム制御部は、前記光検出センサーが前記読取対象側から光が放出されていることを検出すると、前記スキャナー部に対し、前記光源をＯＦＦにしての前記読取対象の第１の画像、及び第２の画像の読み取りを指示し、前記光検出センサーが前記読取対象側から光が放出されていないことを検出すると、前記スキャナー部に対し、前記光源をＯＮにしての前記読取対象の第３の画像の読み取りを指示することを特徴とする。
本発明の画像読取プログラムは、画像形成装置を制御するコンピューターに実行させる画像読取プログラムであって、光源を有するスキャナー部により、原稿読取部にセットされた読取対象の画像を読み取る工程と、光検出センサーにより、前記読取対象側から光が放出されているどうかを検出する工程と、システム制御部により、前記光検出センサーの検出結果に基づき、前記スキャナー部に対し、前記光源をＯＦＦにしての前記読取対象の第１の画像、及び第２の画像の読み取り、又は前記光源をＯＮにしての前記読取対象の第３の画像の読み取りを指示する工程とを具備し、さらに、前記システム制御部は、前記スキャナー部が読み取った前記第１の画像に対し、前記スキャナー部が読み取った前記第２の画像の内容が示すジョブの設定に基づき処理を実行する工程を有することを特徴とする。
本発明の画像形成装置及び画像読取プログラムでは、光源を有するスキャナー部により、原稿読取部にセットされた読取対象の画像を読み取り、光検出センサーにより、読取対象側から光が放出されているどうかを検出し、システム制御部により、光検出センサーの検出結果に基づき、スキャナー部に対し、光源をＯＦＦにしての読取対象の第１の画像、及び第２の画像の読み取り、又は光源をＯＮにしての読取対象の第３の画像の読み取りを指示する。また、システム制御部は、スキャナー部が読み取った第１の画像に対し、スキャナー部が読み取った第２の画像の内容が示すジョブの設定に基づき処理を実行する。
これにより、たとえば読取対象の画面に表示されている第１の画像、及び画像のジョブの設定の内容を示す第２の画像の入力は、たとえばモバイル端末の画面を原稿読取部に向けてセットすればよいことから、従来のような読み取った画像データをJPEG等の汎用ファイルに変換する操作、モバイル端末から画像形成装置へ画像データを送信するネットワーク設定の操作、ジョブの設定の操作等が不要となる。
【発明の効果】
【００１１】
本発明の画像形成装置及び画像読取プログラムによれば、たとえばモバイル端末の画面を原稿読取部に向けてセットするだけで画面の第１の画像、及び画像のジョブの設定の内容を示す第２の画像の読み取りが行われるため、モバイル端末の操作に不慣れなユーザーであっても、モバイル端末の画面に表示される画像に対する印刷等の各種処理を手軽に行うことができる。
【図面の簡単な説明】
【００１２】
【図１】本発明の画像形成装置をＭＦＰに適用した場合の一実施形態について説明するための図である。
【図２】図１のＭＦＰの原稿読取部を示すものであって、図２（ａ）は原稿読取部に印刷済みの用紙がセットされた場合を示す図であり、図２（ｂ）は原稿読取部にタブレット型端末がセットされた場合を示す図である。
【図３】図２（ｂ）のタブレット型端末の画面に表示される画像を示すものであって、図３（ａ）は図１のＭＦＰによる読取対象の画像の一例を示す図であり、図３（ｂ）はジョブの設定の内容を示すＱＲコード（登録商標）の一例を示す図であり、図３（ｃ）はジョブの設定の内容を示すバーコードの一例を示す図である。
【図４】図１のＭＦＰの構成について説明するための図である。
【図５】図１のＭＦＰによる画像読み取りの一例について説明するためのフローチャートである。
【発明を実施するための形態】
【００１３】
以下、本発明の画像形成装置の一実施形態を、図１〜図５を参照しながら説明する。なお、以下の説明においての画像形成装置の一例としては、たとえば印刷機能、コピー機能、ＦＡＸ機能、ネットワーク経由でのデータ送受信機能等を搭載した複合的な周辺機器であるＭＦＰ(Multifunction Peripheral)であるものとする。
【００１４】
まず、図１に示すように、ＭＦＰ１００の本体１０１Ａの内部には、スキャナー部１０１、制御部１１０、給紙部１３０、プリンター部１４０、定着部１５０、搬送部１６０等が搭載されている。なお、符号１７０は給紙トレイ１７１を有するＡＤＦ(Auto Document Feeder)を示し、符号１８０は複数の排紙トレイ１８１を有するメールボックスを示している。ここで、ＡＤＦ１７０は、原稿カバー１７０Ａに組み込まれている。原稿カバー１７０Ａは、図２（ａ）、（ｂ）に示すように、ＭＦＰ１００の原稿読取台１０１Ｂに対して開閉自在に支持されている。また、原稿カバー１７０Ａは、閉塞時においてプラテンガラスで構成される原稿読取部１０１Ｃを覆う。
【００１５】
原稿読取部１０１Ｃの下方には、スキャナー部１０１、用紙検出センサー１０４、光検出センサー１０５が配置されている。スキャナー部１０１は、図示しない光源を有し、たとえばＡＤＦ１７０から自動給紙される、たとえば印刷済みの用紙２００の表面側及び裏面側に光源からの光を照射させつつ画像を読み取る。また、スキャナー部１０１は、図２（ａ）のように、原稿読取部１０１Ｃに印刷済みの用紙２００がセットされると、矢印ａ方向に水平移動しつつ、光源からの光を照射させながら印刷済みの用紙２００に形成されている画像を読み取る。また、スキャナー部１０１は、図２（ｂ）のように、原稿読取部１０１Ｃにモバイル端末であるタブレット型端末３００が後述の図３（ａ）に示す画面３０１を下方（スキャナー部１０１側）に向けてセットされると、上記同様に、矢印ａ方向に水平移動しつつ、タブレット型端末３００の後述の図３（ａ）に示す画面３０１に表示されている画像３１０等を読み取る。この場合、スキャナー部１０１は、光源からの光の照射を停止し、タブレット型端末３００の画面３０１に表示されている画像３１０等を読み取る。これにより、スキャナー部１０１の光源からの光と、タブレット型端末３００の画面３０１からの光との干渉等によるフレアの発生を抑制できる。なお、モバイル端末としては、タブレット型端末３００に限らず、スマートフォン等の携帯端末であってもよい。
【００１６】
用紙検出センサー１０４は、原稿読取部１０１Ｃにセットされた印刷済みの用紙２００のサイズ、又はタブレット型端末３００の後述の図３（ａ）に示す画面３０１のサイズを検出する。用紙検出センサー１０４による検出結果は、後述の用紙１３３の選択等に用いられる。光検出センサー１０５は、原稿読取部１０１Ｃ側から光が放出されているかどうかを検出する。すなわち、図２（ｂ）のように、原稿読取部１０１Ｃにタブレット型端末３００が後述の図３（ａ）に示す画面３０１を下方に向けてセットされると、タブレット型端末３００の画面からの光が光検出センサー１０５側に向けて放出される。この場合、光検出センサー１０５がタブレット型端末３００の画面３０１からの光を検出するため、原稿読取部１０１Ｃにセットされた読取対象がタブレット型端末３００であると判断できる。また、図２（ａ）のように、原稿読取部１０１Ｃに印刷済みの用紙２００がセットされた場合、光検出センサー１０５は光を検出しない。この場合、原稿読取部１０１Ｃにセットされた読取対象は、印刷済みの用紙２００であると判断できる。
【００１７】
制御部１１０は、各部の動作を制御するものであるが、詳細については後述する。給紙部１３０は、用紙サイズや用紙タイプの異なる様々な用紙１３３を収容できる複数の給紙カセット１３１ａ〜１３１ｃを収容する。
【００１８】
プリンター部１４０は、図示しない感光体ドラム、現像装置、帯電装置、露光装置等を有する、マゼンタ（Ｍ）、シアン（Ｃ）、イエロー（Ｙ）、ブラック（Ｋ）を含む画像形成ユニット１４１を備えている。また、プリンター部１４０は、１次転写ローラー１４２、駆動ローラー１４３、従動ローラー１４４、中間転写ベルト１４５、２次転写ローラー１４６を有している。画像形成ユニット１４１は、印刷データに基づき、帯電、露光及び現像の工程により図示しない感光体ドラム上にトナー像を形成する。また、１次転写ローラー１４２は、図示しない感光体ドラム上のトナー像を、駆動ローラー１４３及び従動ローラー４４に張架されている中間転写ベルト１４５上に転写する。２次転写ローラー１４６は、用紙１３３の裏面側から圧接し、用紙１３３の表面側に中間転写ベルト１４５上のトナー画像を転写する。
【００１９】
定着部１５０は、加熱ローラー１５１と加圧ローラー１５２とを有している。加熱ローラー１５１は、図示しない熱源制御部によって制御される熱源からの熱を用紙１３３に与える。加圧ローラー１５２は、用紙１３３を加熱ローラー１５１側に押しつける。そして、定着部１５０は、駆動ローラー１４３と２次転写ローラー１４６とにより、トナー画像が転写された用紙１３３に対し、加圧ローラー１５２による圧と加熱ローラー１５１による熱とを加える。これにより、用紙１３３にトナー画像が定着される。
【００２０】
搬送部１６０は、給紙カセット１３１ａ〜１３１ｃからメールボックス１８０まで延びる搬送路を有している。
【００２１】
ＡＤＦ１７０は、複数の搬送ローラー１７２〜１７７と、給紙口１７８と、排出口１７９とを有している。給紙トレイ１７１には、原稿となる複数枚のたとえば印刷済みの用紙２００をセットすることができる。また、給紙トレイ１７１にセットされたたとえば印刷済みの用紙２００は、図示しない分離機構により１枚ずつに分離される。
【００２２】
メールボックス１８０は、制御部１１０の制御により、たとえば印刷済みの用紙２００に対し、用紙２００の余白のサイズに応じて指定された排紙トレイ１８１への仕分けを行う。
【００２３】
次に、図３を参照し、タブレット型端末３００の画面３０１に表示される内容について説明する。まず、図３（ａ）は、タブレット型端末３００の画面３０１に表示される画像３１０の一例を示している。すなわち、ユーザーは、タブレット型端末３００の画面３０１に表示される画像３１０をＭＦＰ１００で印刷する場合、図示しないメモリーに記憶されている画像３１０を読み出して画面３０１に表示させる。そして、画像３１０を表示させた画面３０１を下方に向けて原稿読取部１０１Ｃにセットし、ＭＦＰ１００の後述の４に示すパネル部１０６の読み取り開始ボタンを押下する。これにより、スキャナー部１０１により、タブレット型端末３００の画面３０１に表示されている画像３１０が読み取られる。なお、画像３１０のジョブの設定に対しては、後述の図３（ｂ）のＱＲコード（登録商標）３１１、又は後述の図３（ｃ）のバーコード３１２のいずれかを画像３１０の読み取りと同様にスキャナー部１０１により、読み取らせることで、ＭＦＰ１００の後述の図４に示すパネル部１０６を介しての操作が不要となる。なお、画像３１０のジョブの設定においては、たとえばコピー、送信、保存等がある。
【００２４】
すなわち、図３（ｂ）は、画像３１０に対するジョブの設定の内容を示すＱＲコード（登録商標）３１１の一例を示している。このＱＲコード（登録商標）３１１は、たとえばタブレット型端末３００側にインストールされているコード作成アプリケーション（以下、コード作成アプリという）を起動させることで作成できる。なお、様々なジョブの設定の内容に対応させたＱＲコード（登録商標）３１１の画像を用意しておき、必要なＱＲコード（登録商標）３１１をタブレット型端末３００の図示しないカメラで撮影し、画面３０１に表示させてもよい。そして、ＱＲコード（登録商標）３１１を表示させた画面３０１を下方に向けて原稿読取部１０１Ｃに再セットし、ＭＦＰ１００の後述の図４に示すパネル部１０６の読み取り開始ボタンを押下する。これにより、スキャナー部１０１により、タブレット型端末３００の画面３０１に表示されているＱＲコード（登録商標）３１１が読み取られる。
【００２５】
次に、図３（ｃ）は、画像３１０に対するジョブの設定の内容を示すバーコード３１２の一例を示している。このバーコード３１２は、上記同様に、たとえばタブレット型端末３００側にインストールされているコード作成アプリを起動させることで、作成できる。また、上記同様に、様々なジョブの設定の内容に対応させたバーコード３１２の画像を用意しておき、必要なバーコード３１２をタブレット型端末３００の図示しないカメラで撮影し、画面３０１に表示させてもよい。そして、バーコード３１２を表示させた画面３０１を下方に向けて原稿読取部１０１Ｃに再セットし、ＭＦＰ１００の後述の図４に示すパネル部１０６の読み取り開始ボタンを押下する。これにより、スキャナー部１０１により、タブレット型端末３００の画面３０１に表示されているバーコード３１２が読み取られる。
【００２６】
次に、図４を参照し、図１の制御部１１０の構成について説明する。制御部１１０は、スキャナー部１０１、プリンター部１４０、ＦＡＸ(Facsimile)部１０２、Ｉ／Ｆ（インターフェース）１０３、用紙検出センサー１０４、光検出センサー１０５、パネル部１０６及びＨＤＤ(Hard Disk Drive)１０７の動作を制御する。
【００２７】
スキャナー部１０１は、イメージセンサ（図示省略）によって読み取られる、たとえば印刷済みの用紙２００上の画像、又はタブレット型端末３００の画面３０１上の画像３１０等をデジタルの画像データに変換し、制御部１１０に入力するデバイスである。プリンター部１４０は、制御部１１０から出力される印刷データに基づき、白紙の用紙１３３上等に画像を印刷するデバイスである。ＦＡＸ部１０２は、制御部１１０から出力されるデータを、電話回線を通じ相手方となるファクシミリへと送信し、また、相手方ファクシミリからのデータを受信して制御部１１０に入力するデバイスである。
【００２８】
Ｉ／Ｆ１０３は、ネットワークを介し、他のＭＦＰ１００やユーザー端末等との通信を受け持つ。なお、Ｉ／Ｆ１０３は、図示しないコンテンツサーバーやウェブサーバー等との通信を受け持ってもよい。用紙検出センサー１０４は、図２（ａ）、（ｂ）のように、原稿読取部１０１Ｃにセットされた印刷済みの用紙２００のサイズ、又はタブレット型端末３００の画面３０１のサイズを検出する。用紙検出センサー１０４による検出結果は、用紙１３３の選択等に用いられる。光検出センサー１０５は、図２（ａ）のように、原稿読取部１０１Ｃに印刷済みの用紙２００がセットされた場合、印刷済みの用紙２００側からの光を検出しない。一方、図２（ｂ）のように、原稿読取部１０１Ｃにタブレット型端末３００がセットされた場合、タブレット型端末３００の画面３０１から放出される光を検出する。このように、光検出センサー１０５が読取対象側からの光の有無を検出することで、原稿読取部１０１Ｃにセットされた読取対象が印刷済みの用紙２００であるか、タブレット型端末３００であるかを判断できる。パネル部１０６は、たとえばＭＦＰ１００の印刷機能、コピー機能、ＦＡＸ機能、ネットワーク経由でのデータ送受信機能や、各種設定のための表示を行うタッチパネルとハードウェアキーとを有するデバイスである。ＨＤＤ１０７は、ＭＦＰ１００の種々の機能を提供するためのアプリケーションプログラム等を記憶している記憶デバイスである。また、ＨＤＤ１０７は、ユーザー端末側から登録された印刷ジョブを記憶するユーザーボックスを有している。
【００２９】
制御部１１０は、認証プログラム等のアプリケーションプログラム、画像読取プログラム、及び制御プログラム等を実行してＭＦＰ１００全体の動作を制御するプロセッサーである。制御部１１０は、スキャナー制御部１１１、プリンター制御部１１２、ＦＡＸ制御部１１３、通信制御部１１４、ＲＡＭ(Random Access Memory)１１５、EEPROM(electrically erasable and programmable read-only memory)１１６、画像処理部１１７、センサー制御部１１８、パネル操作制御部１１９、ＨＤＤ制御部１２０、システム制御部１２１を備えている。また、これらは、データバス１２２に接続されている。
【００３０】
スキャナー制御部１１１は、スキャナー部１０１の読み取り動作を制御する。プリンター制御部１１２は、プリンター部１４０の印刷動作を制御する。ＦＡＸ制御部１１３は、ＦＡＸ部１０２によるデータの送受信動作を制御する。通信制御部１１４は、Ｉ／Ｆ１０３を介し、ネットワーク経由でのデータ等の送受信の制御を行う。ＲＡＭ１１５は、プログラムを実行するためのワークメモリーである。また、ＲＡＭ１１５は、画像処理部１１７によって後述のスクリーン処理や、画像処理（ラスタライズ）された印刷データを記憶する記憶デバイスである。EEPROM１１６には、各部の動作チェックや起動シーケンスを生成する制御プログラム等が記憶されている。
【００３１】
画像処理部１１７は、詳細については後述するが、スキャナー部１０１によって読み取られた画像データに対する画像処理（ラスタライズ、スクリーン処理等）を行う。また、画像処理部１１７は、ＨＤＤ１０７のユーザーボックスに登録された印刷ジョブに対する画像処理（ラスタライズ、スクリーン処理等）を行う。なお、システム制御部１２１は、画像処理部１１７が画像処理（ラスタライズ、スクリーン処理等）した印刷データを、一旦、ＲＡＭ１１５に記憶させる。センサー制御部１１８は、用紙検出センサー１０４、及び光検出センサー１０５の検出動作を制御する。なお、センサー制御部１１８は、用紙検出センサー１０４、又は光検出センサー１０５のいずれか一方に対し、印刷済みの用紙２００のサイズの検出、タブレット型端末３００の画面３０１のサイズの検出、タブレット型端末３００の画面３０１から放出される光の検出を制御してもよい。この場合、用紙検出センサー１０４、又は光検出センサー１０５のいずれか一方が故障した際、用紙検出センサー１０４、又は光検出センサー１０５の他方を制御し、サイズ等の検出を制御できる。又は、用紙検出センサー１０４、又は光検出センサー１０５のいずれか一方を省くことで、部品点数の削減等を図ることができる。パネル操作制御部１１９は、パネル部１０６の表示動作を制御する。また、パネル操作制御部１１９は、パネル部１０６を介しての設定等の指示を受け付ける。
【００３２】
ＨＤＤ制御部１２０は、ＨＤＤ１０７に対するデータの読み出し及び書き込み等を制御する。システム制御部１２１は、各部の連携動作等を制御する。また、システム制御部１２１は、たとえばパネル部１０６を介しての印刷指示があると、画像処理部１１７、及びプリンター制御部１１２に対し、印刷を指示する。また、システム制御部１２１は、光検出センサー１０５が原稿読取部１０１Ｃ側からの光を検出した場合、スキャナー制御部１１１を介し、スキャナー部１０１の光源からの照射をＯＦＦさせる。これにより、スキャナー部１０１の光源からの光と、原稿読取部１０１Ｃ側からの光との干渉等によるフレアの発生を抑制でき、スキャナー部１０１による画像を読み取りが適切に行われる。また、システム制御部１２１は、スキャナー部１０１が図３（ａ）に示した画像３１０を読み取った後、図３（ｂ）のＱＲコード（登録商標）３１１、又は図３（ｃ）のバーコード３１２を読み取ると、ＱＲコード（登録商標）３１１、又はバーコード３１２が示すジョブの設定の内容に従い、画像処理部１１７、及びプリンター制御部１１２に対し、印刷を指示する。また、システム制御部１２１は、スキャナー部１０１が図３（ｂ）のＱＲコード（登録商標）３１１、又は図３（ｃ）のバーコード３１２を読み取った後、図３（ａ）に示した画像３１０を読み取った場合も同様にして読み取ると、ＱＲコード（登録商標）３１１、又はバーコード３１２が示すジョブの設定の内容に従い、該当する部位に指示を出す。
【００３３】
なお、システム制御部１２１は、たとえばスキャナー部１０１が図３（ａ）に示した画像３１０を読み取った後、パネル操作制御部１１９を介し、パネル部１０６にジョブの設定の入力を促す内容を表示させてもよい。この場合、ユーザーがパネル部１０６の内容を確認した後、スキャナー部１０１対して図３（ｂ）のＱＲコード（登録商標）３１１、又は図３（ｃ）のバーコード３１２を読み取らせることで、先に読み取られた画像３１０に関連するジョブの設定の内容を示すＱＲコード（登録商標）３１１、又はバーコード３１２を、続けて読み込ませることができる。また、システム制御部１２１は、たとえばスキャナー部１０１が図３（ｂ）のＱＲコード（登録商標）３１１、又は図３（ｃ）のバーコード３１２を読み取った後、ネル操作制御部１１９を介し、パネル部１０６に図３（ａ）に示した画像３１０の読み取りを促す内容を表示させてもよい。この場合、ユーザーがパネル部１０６の内容を確認した後、スキャナー部１０１対して図３（ａ）の画像３１０を読み取らせることで、先に読み取られたＱＲコード（登録商標）３１１、又はバーコード３１２が示すジョブの設定に対応した画像３１０を、続けて読み込ませることができる。
【００３４】
次に、図５を参照し、ＭＦＰ１００による画像読み取りの一例について説明する。なお、以下のジョブの設定においては、たとえばコピー、送信、保存のいずれかの場合として説明する。また、以下では、印刷済みの用紙２００の画像、又はタブレット型端末３００の画面３０１の画像３１０を読み取る場合で説明する。また、以下では、タブレット型端末３００の画面３０１のジョブの設定の内容を示すＱＲコード（登録商標）３１１を読み取った後に、タブレット型端末３００の画面３０１の画像３１０を読み取る場合として説明する。
【００３５】
（ステップＳ１０１）
システム制御部１２１は、原稿がセットされたかどうかを判断する。
この場合、システム制御部１２１は、センサー制御部１１８からの用紙検出センサー１０４による検出があることを示す通知が無ければ原稿がセットされないと判断し（ステップＳ１０１：Ｎｏ）、原稿のセット待ちとなる。
これに対し、システム制御部１２１は、センサー制御部１１８からの用紙検出センサー１０４による検出があることを示す通知が有れば原稿がセットされたと判断し（ステップＳ１０１：Ｙｅｓ）、ステップＳ１０２に移行する。
【００３６】
（ステップＳ１０２）
システム制御部１２１は、光を検出したかどうかを判断する。
この場合、システム制御部１２１は、センサー制御部１１８からの光検出センサー１０５が原稿読取部１０１Ｃ側からの光を検出したことを示す通知が無ければ光を検出しないと判断し（ステップＳ１０２：Ｎｏ）、ステップＳ１０５に移行する。
すなわち、図２（ａ）のように、原稿読取部１０１Ｃにたとえば印刷済みの用紙２００がセットされた場合、光検出センサー１０５は光を検出しない。この場合、システム制御部１２１は、センサー制御部１１８からの光検出センサー１０５が原稿読取部１０１Ｃ側からの光を検出したことを示す通知が無いため、読取対象をたとえば印刷済みの用紙２００と判断できる。
これに対し、システム制御部１２１は、センサー制御部１１８からの光検出センサー１０５が原稿読取部１０１Ｃ側からの光を検出したことを示す通知が有れば光を検出したと判断し（ステップＳ１０２：Ｙｅｓ）、ステップＳ１０３に移行する。
すなわち、図２（ｂ）のように、原稿読取部１０１Ｃにたとえばタブレット型端末３００が画面３０１（図３参照）を光検出センサー１０５側に向けてセットされた場合、光検出センサー１０５は画面３０１から放出される光を検出する。この場合、システム制御部１２１は、センサー制御部１１８からの光検出センサー１０５が原稿読取部１０１Ｃ側からの光を検出したことを示す通知を得るため、読取対象をたとえばタブレット型端末３００と判断できる。
【００３７】
（ステップＳ１０３）
システム制御部１２１は、スキャナー制御部１１１に対し、スキャナー部１０１の光源からの照射のＯＦＦを指示する。
このとき、スキャナー制御部１１１は、システム制御部１２１からの指示を受け付け、後述するステップＳ１１０で当該指示を実行する。
【００３８】
（ステップＳ１０４）
システム制御部１２１は、原稿であるタブレット型端末３００の画面サイズを検出させる。
この場合、システム制御部１２１は、センサー制御部１１８に対し、用紙検出センサー１０４によるタブレット型端末３００の画面サイズの検出を指示する。
このとき、センサー制御部１１８は、用紙検出センサー１０４を制御し、タブレット型端末３００の画面を検出し、画面サイズを示すサイズデータをシステム制御部１２１に通知する。
【００３９】
（ステップＳ１０５）
システム制御部１２１は、スキャナー制御部１１１に対し、スキャナー部１０１の光源からの照射のＯＮを指示する。
このとき、スキャナー制御部１１１は、システム制御部１２１からの指示を受け付け、後述するステップＳ１１０で当該指示を実行する。
【００４０】
（ステップＳ１０６）
システム制御部１２１は、原稿である印刷済みの用紙２００のサイズを検出させる。
この場合、システム制御部１２１は、センサー制御部１１８に対し、用紙検出センサー１０４による印刷済みの用紙２００のサイズの検出を指示する。
このとき、センサー制御部１１８は、用紙検出センサー１０４を制御し、印刷済みの用紙２００を検出し、サイズを示すサイズデータをシステム制御部１２１に通知する。
【００４１】
（ステップＳ１０７）
システム制御部１２１は、サイズデータを取得する。
この場合、システム制御部１２１は、ステップＳ１０４で、センサー制御部１１８からのタブレット型端末３００の画面３０１のサイズを示すサイズデータを受け取った場合、そのサイズデータを取得する。
一方、システム制御部１２１は、ステップＳ１０６で、センサー制御部１１８からの印刷済みの用紙２００のサイズを示すサイズデータを受け取った場合、そのサイズデータを取得する。
【００４２】
（ステップＳ１０８）
システム制御部１２１は、ジョブの設定を受け付ける。
この場合、システム制御部１２１は、パネル操作制御部１１９を介しパネル部１０６に対してジョブの設定の入力を促す内容を表示させる。
このとき、ユーザーが前もって図３（ｂ）に示したＱＲコード（登録商標）３１１を用意してある場合、そのＱＲコード（登録商標）３１１を画面３０１に表示させ、画面３０１を下方に向けて原稿読取部１０１Ｃにセットする。
なお、ユーザーが前もって図３（ｂ）に示したＱＲコード（登録商標）３１１を用意していない場合、たとえばコード作成アプリを起動させてＱＲコード（登録商標）３１１を作成し、画面３０１に表示させてもよいし、様々なジョブの設定の内容に対応させたＱＲコード（登録商標）３１１の画像をカメラで撮影し、画面３０１に表示させてもよい。
【００４３】
（ステップＳ１０９）
システム制御部１２１は、スタートボタンが押下されたかどうかを判断する。
この場合、システム制御部１２１は、パネル操作制御部１１９からのパネル部１０６を介してスタートボタンの操作を受け付けたことを示す通知が無ければスタートボタンが押下されていないと判断し（ステップＳ１０９：Ｎｏ）、スタートボタンの押下待ちとなる。
これに対し、システム制御部１２１は、パネル操作制御部１１９からのパネル部１０６を介してスタートボタンの操作を受け付けたことを示す通知が有ればスタートボタンが押下されたと判断し（ステップＳ１０９：Ｙｅｓ）、ステップＳ１１０に移行する。
【００４４】
（ステップＳ１１０）
システム制御部１２１は、原稿の読み取りを指示する。
この場合、システム制御部１２１は、スキャナー制御部１１１に対し、スキャナー部１０１による読み取りを指示する。
このとき、スキャナー制御部１１１は、ステップＳ１０２で読取対象がタブレット型端末３００の画面３０１であると判断されている場合、スキャナー部１０１の光源からの照射をＯＦＦにした状態で、図２（ｂ）に示したように、スキャナー部１０１を矢印ａ方向に水平移動させつつタブレット型端末３００の画面３０１のＱＲコード（登録商標）３１１を読み取らせる。
ここで、システム制御部１２１は、スキャナー部１０１が読み取ったＱＲコード（登録商標）３１１を解読し、ジョブの設定の内容を取得する。
これに対し、スキャナー制御部１１１は、ステップＳ１０２で読取対象が印刷済みの用紙２００であると判断されている場合、スキャナー部１０１の光源からの照射をＯＮにした状態で、図２（ａ）に示したように、スキャナー部１０１を矢印ａ方向に水平移動させつつ印刷済みの用紙２００の画像を読み取らせる。
【００４５】
（ステップＳ１１１）
システム制御部１２１は、原稿の読み取りを受け付ける。
この場合、システム制御部１２１は、パネル操作制御部１１９を介し、パネル部１０６に画像３１０の読み取りを促す内容を表示させる。
このとき、ユーザーがタブレット型端末３００の画面３０１に画像３１０を表示させ、画面３０１を下方に向けて原稿読取部１０１Ｃにセットする。
【００４６】
（ステップＳ１１２）
システム制御部１２１は、スタートボタンが押下されたかどうかを判断する。
この場合、システム制御部１２１は、パネル操作制御部１１９からのパネル部１０６を介してスタートボタンの操作を受け付けたことを示す通知が無ければスタートボタンが押下されていないと判断し（ステップＳ１１２：Ｎｏ）、スタートボタンの押下待ちとなる。
これに対し、システム制御部１２１は、パネル操作制御部１１９からのパネル部１０６を介してスタートボタンの操作を受け付けたことを示す通知が有ればスタートボタンが押下されたと判断し（ステップＳ１１２：Ｙｅｓ）、ステップＳ１１３に移行する。
【００４７】
（ステップＳ１１３）
システム制御部１２１は、原稿の読み取りを指示する。
この場合、システム制御部１２１は、スキャナー制御部１１１に対し、スキャナー部１０１による読み取りを指示する。
このとき、スキャナー制御部１１１は、ステップＳ１０２で読取対象がタブレット型端末３００の画面３０１であると判断されている場合、スキャナー部１０１の光源からの照射をＯＦＦにした状態で、図２（ｂ）に示したように、スキャナー部１０１を矢印ａ方向に水平移動させつつタブレット型端末３００の画面３０１の画像３１０を読み取らせる。
【００４８】
（ステップＳ１１４）
システム制御部１２１は、ジョブの設定がコピーかどうかを判断する。
この場合、システム制御部１２１は、ステップＳ１１０で取得したジョブの設定がコピーでない場合、コピーではないと判断し（ステップＳ１１４：Ｎｏ）、ステップＳ１１６に移行する。
これに対し、システム制御部１２１は、ステップＳ１１０で取得したジョブの設定がコピーである場合、コピーであると判断し（ステップＳ１１４：Ｙｅｓ）、ステップＳ１１５に移行する。
【００４９】
（ステップＳ１１５）
システム制御部１２１は、読み取った画像データのコピー印刷を指示する。
この場合、システム制御部１２１は、画像処理部１１７に対してスキャナー部１０１が読み取った画像３１０の画像処理（ラスタライズ）を指示し、プリンター制御部１１２に対してプリンター部１４０による印刷を指示する。
【００５０】
（ステップＳ１１６）
システム制御部１２１は、ジョブの設定が送信かどうかを判断する。
この場合、システム制御部１２１は、ステップＳ１１０で取得したジョブの設定が送信でない場合、送信ではないと判断し（ステップＳ１１６：Ｎｏ）、ステップＳ１１８に移行する。
これに対し、システム制御部１２１は、ステップＳ１１０で取得したジョブの設定が送信である場合、送信であると判断し（ステップＳ１１６：Ｙｅｓ）、ステップＳ１１７に移行する。
【００５１】
（ステップＳ１１７）
システム制御部１２１は、読み取った画像データの送信を指示する。
ここで、画像データの送信には、ＦＡＸ送信とデータ送信とがある。
ＦＡＸ送信の場合、システム制御部１２１は、ＦＡＸ制御部１１３に対してＦＡＸ部１０２によるＦＡＸ送信を指示する。
データ送信の場合、システム制御部１２１は、通信制御部１１４に対してＩ／Ｆ１０３によるデータ送信を指示する。
【００５２】
（ステップＳ１１８）
システム制御部１２１は、読み取った画像データの保存を指示する。
この場合、システム制御部１２１は、読み取った画像３１０の画像データの保存先がたとえばＨＤＤ１０７である場合、ＨＤＤ制御部１２０に対し、ＨＤＤ１０７に対する画像データの保存を指示する。
【００５３】
（ステップＳ１１９）
システム制御部１２１は、指示した処理が終了したかどうかを判断する。
ここで、システム制御部１２１は、指示した処理がステップＳ１１５でのコピー印刷の場合、プリンター制御部１１２からの印刷終了を示す通知が無ければコピー印刷が終了していないと判断して終了待ちとなり（ステップＳ１１９：Ｎｏ）、プリンター制御部１１２からの印刷終了を示す通知が有ればコピー印刷が終了したと判断し（ステップＳ１１９：Ｙｅｓ）、処理を終了する。
また、システム制御部１２１は、指示した処理がステップＳ１１７でのたとえばＦＡＸ送信の場合、ＦＡＸ制御部１１３からの送信終了を示す通知が無ければＦＡＸ送信が終了していないと判断して終了待ちとなり（ステップＳ１１９：Ｎｏ）、ＦＡＸ制御部１１３からの送信終了を示す通知が有ればＦＡＸ送信が終了したと判断し（ステップＳ１１９：Ｙｅｓ）、処理を終了する。
また、システム制御部１２１は、指示した処理がステップＳ１１８でのたとえばＨＤＤ１０７への保存の場合、ＨＤＤ制御部１２０からの保存終了を示す通知が無ければ画像データの保存が終了していないと判断して終了待ちとなり（ステップＳ１１９：Ｎｏ）、ＨＤＤ制御部１２０からの保存終了を示す通知が有れば画像データの保存が終了したと判断し（ステップＳ１１９：Ｙｅｓ）、処理を終了する。
【００５４】
なお、ステップＳ１０８でジョブの設定を受け付けた後、ステップＳ１０９でスタートボタンの押下待ちとなっているが、ステップＳ１０８でのジョブの設定を受け付けた後、ステップＳ１０９でのスタートボタンの押下待ちを省いて、直ちにステップＳ１１０に進んでもよい。また、ステップＳ１１１で画像３１０の読み取りを受け付けた後、ステップＳ１１２でスタートボタンの押下待ちとなっているが、ステップＳ１１１での画像３１０の読み取りを受け付けた後、ステップＳ１１２でのスタートボタンの押下待ちを省いて、直ちにステップＳ１１３に進んでもよい。ここで、ステップＳ１０８でのジョブの設定を受け付けや、ステップＳ１１１での画像３１０の読み取りの受け付けについては、たとえば図２（ｂ）の原稿カバー１７０Ａの開閉を検知することでジョブの設定の受け付けや、画像３１０の読み取りの受け付けを行ったと判断し、ステップＳ１１０やステップＳ１１３での原稿の読み取りの指示に移行してもよい。また、ステップＳ１０８でのジョブの設定の受け付けと、ステップＳ１１１での原稿の読み取りの受付とを逆にしてもよい。
【００５５】
このように、本実施形態では、光源を有するスキャナー部１０１により、原稿読取部１０１Ｃにセットされた印刷済みの用紙２００、又はタブレット型端末３００（読取対象）の画像を読み取り、光検出センサー１０５により、印刷済みの用紙２００、又はタブレット型端末３００（読取対象）側から光が放出されているどうかを検出し、システム制御部１２１により、光検出センサー１０５の検出結果に基づき、スキャナー部１０１に対し、光源をＯＦＦにしてのタブレット型端末３００（読取対象）の画像３１０（第１の画像）の読み取り、及びジョブの設定の内容を示すＱＲコード（登録商標）３１１、又はバーコード３１２（第２の画像）の読み取り、又は光源をＯＮにしての印刷済みの用紙２００の画像の読み取りを指示する。また、システム制御部１２１は、スキャナー部１０１が読み取った画像３１０（第１の画像）に対し、ＱＲコード（登録商標）３１１、又はバーコード３１２（第２の画像）が示すジョブの設定の内容に基づき処理を実行する。
【００５６】
これにより、たとえばタブレット型端末３００（読取対象）の画面３０１に表示されている画像３１０（第１の画像）、及び画像のジョブの設定の内容を示すＱＲコード（登録商標）３１１、又はバーコード３１２（第２の画像）の入力は、たとえばタブレット型端末３００（読取対象）の画面３０１を原稿読取部１０１Ｃに向けてセットすればよいことになる。その結果、従来のような読み取った画像データをJPEG等の汎用ファイルに変換する操作、モバイル端末から画像形成装置へ画像データを送信するネットワーク設定の操作、ジョブの設定の操作等が不要となるので、モバイル端末の操作に不慣れなユーザーであっても、タブレット型端末３００（読取対象）の画面３０１に表示されている画像３１０（第１の画像）対する印刷等の各種処理を手軽に行うことができる。
【００５７】
なお、本実施形態では、タブレット型端末３００等のモバイル端末の画面の画像を読み取る場合としているが、モバイル端末の画面の画像に限らず、ノートパソコン、ＰＣ(Personal Computer)、テレビ等の画面の画像をハンディースキャナーで読み取る場合に適用してもよい。画面の画像をハンディースキャナーで読み取る場合、ハンディースキャナーの光源をＯＦＦとすることで、上述したように、ハンディースキャナーの光源からの光と、テレビ等の画面からの光との干渉等によるフレアの発生を抑制できる。
【符号の説明】
【００５８】
１００  ＭＦＰ
１０１  スキャナー部
１０１Ａ  本体
１０１Ｂ  原稿読取台
１０１Ｃ  原稿読取部
１０２  ＦＡＸ部
１０３  Ｉ／Ｆ
１０４  用紙検出センサー
１０５  光検出センサー
１０６  パネル部
１０７  ＨＤＤ
１１０  制御部
１１１  スキャナー制御部
１１２  プリンター制御部
１１３  ＦＡＸ制御部
１１４  通信制御部
１１５  ＲＡＭ
１１６  EEPROM
１１７  画像処理部
１１８  センサー制御部
１１９  パネル操作制御部
１２０  ＨＤＤ制御部
１２１  システム制御部
１２２  データバス
１３０  給紙部
１３１ａ〜１３１ｃ  給紙カセット
１３３、２００  用紙
１４０  プリンター部
１４１  画像形成ユニット
１４２  １次転写ローラー
１４３  駆動ローラー
１４４  従動ローラー
１４５  中間転写ベルト
１４６  ２次転写ローラー
１５０  定着部
１５１  加熱ローラー
１５２  加圧ローラー
１６０  搬送部
１７０  ＡＤＦ
１７０Ａ  原稿カバー
１７１  給紙トレイ
１７２〜１７７  搬送ローラー
１７８  給紙口
１７９  排出口
１８０  メールボックス
１８１  排紙トレイ
３００  タブレット型端末
３０１  画面
３１０  画像
３１１  ＱＲコード（登録商標）
３１２  バーコード
【図１】
2019149685.tif 000003
【図２】
2019149685.tif 000004
【図３】
2019149685.tif 000005
【図４】
2019149685.tif 000006
【図５】
2019149685.tif 000007